(57)【特許請求の範囲】
【請求項１】
コンクリート壁体の施工の際に型枠を保持するためのセパレータであって、
鞘管と、鞘管の両端部に配された弾性部材と、鞘管内を貫通する芯体とを有し、
芯体の周囲と鞘管内面との間には空間が設けられており、鞘管の型枠側の端部に配された弾性部材が型枠に当接されることを特徴とするセパレータ。
【請求項２】
芯体の周囲と鞘管の内面との間の空間には部分的に弾性体よりなるスペーサーが配されていることを特徴とする請求項１記載のセパレータ。
【請求項３】
芯体の一端は芯体支持具に支持されており、
芯体支持具は芯体の端部と芯体支持具取り付け面との間隔を調整可能であることを特徴とする請求項１又は請求項２記載のセパレータ。
【請求項４】
鞘管の両端には弾性部材が取着されており、芯体が前記弾性部材を貫通して配設されており、型枠側に位置する弾性部材の型枠側に座金が配されており、芯体の座金より型枠側に位置する箇所には溝部が設けられていることを特徴とする請求項１，請求項２又は請求項３記載のセパレータ。
【請求項５】
土留壁と地下外壁との間に防振板が介在しており、コンクリート打設時に必要な型枠を保持するためのセパレータは防振板を貫通して土留壁の芯材に取り付けられており、
セパレータは請求項１，請求項２，請求項３又は請求項４記載のセパレータであることを特徴とする地下外壁の防振構造。
【請求項６】
防振板側の弾性部材または鞘管に設けた外鍔に鞘管の周囲を囲繞し且つ防振板に弾接する突条が形成されていることを特徴とする請求項５に記載の地下外壁の防振構造。
【発明の詳細な説明】
【０００１】
【産業上の利用分野】
本発明は鉄筋コンクリートの地下外壁の防振構造及びそれに用いるセパレータに関するものである。
【０００２】
【従来の技術】
建物の外壁等に用いる鉄筋コンクリート製の壁を施工する場合、土留壁にゴム，発泡体等からなる防振板を立て、次いでこの防振板に平行してベニヤ板等よりなる型枠を設置する。このとき防振板と型枠との間隔は施工しようとするコンクリート壁体の厚みと同じにする。
【０００３】
型枠は長尺のボルト等よりなるセパレータと、ナット，座金を用いて保持される。このセパレータの一端は防振板を貫通して土留壁の芯材となるＨ鋼に取り付けられ、他端で型枠をナット，座金を用いて固定する。このセパレータを用いて固定する箇所の数は壁体の大きさや厚みにより適宜決められる。
【０００４】
次いで、防振板と型枠との間に鉄筋を配筋する。一般に鉄筋は防振板と型枠とのほぼ中央部にそれらと平行して配管される。
その後、防振板と型枠との間にコンクリートを流し込み、硬化させることによりコンクリート壁体を打設する。コンクリートが固まった後、ナットを取り外して型枠を取り外す。型枠の内側に配していた座金を外すとコンクリート壁体に座金の分だけ凹部が生じるので、凹部から突出したセパレータの端部を切断し、必要に応じ凹部をコンクリート等で埋める。セパレータは壁体から突出して切断された部分を除き壁体中に残されることとなる。
【０００５】
列車軌道等で発生した振動は地盤から土留壁に伝わるが、上記のように施工した場合、土留壁側からの振動は防振板によりある程度吸収されるため、コンクリート壁体に伝わる振動はある程度抑制される。
しかしながら、土留壁の振動はある程度振動板により吸収されるとしてもＨ鋼から型枠固定に用いたセパレータに伝わる。セパレータとコンクリート壁体は共に剛体であり、しかも直接接しているため、そのセパレータを伝わって来た土留壁の振動はコンクリート壁体にダイレクトに伝わり、コンクリート壁体が振動して振動音が生じる。
【０００６】
このような壁体の振動により生ずる振動音はできるだけ小さいことが望ましく、特に図書館，音楽ホール等の静かな環境が求められる建築物においては大きな問題となる。
【０００７】
そこで、このような土留壁に接続されたセパレータで型枠を支持し、土留壁に配された防振板と型枠との間にコンクリートを打設することにより壁体を形成する防振構造において、セパレータを介して壁体に伝わる振動を抑制する手段が実開平7-16860号公報及び特開平6-173288号公報に提案されている。
【０００８】
実開平7-16860号公報に記載のものはセパレータを防振ゴムを介してＨ鋼に取り付けており、具体的には挟持具によりＨ鋼のフランジ部を挟持し、その挟持具とＨ鋼のフランジとの接触面に防振ゴムを介在させている。
一方、特開平6-173288号公報に記載のものは全外表面に防水材（防振材）を塗着したセパレータを用いており、Ｈ鋼からセパレータを経て壁体へ伝播しようとする振動をセパレータの外側に塗着された防水材により減衰させている。
【０００９】
【発明が解決しようとする課題】
しかしながら、実開平7-16860号公報に記載のものは挟持具でＨ鋼のフランジ部を厚み方向に挟持させているが、そのためには当該フランジ部の挟持される部分の両側周囲の土留壁を削り取って露出させる必要があり手間がかかる。また、同公報の図１からも明らかなように、セパレータの挟持部とロッド取付のためのナットが土留壁と直接（防振材を介さず）接触しており、土留壁の振動が直接セパレータを介して壁体に伝播してしまう。土留壁との接触を避けようとすると更に広範囲に土留壁を切削する必要があり作業効率が更に悪化する。そして、セパレータと壁体とは直接接しているために、セパレータの振動はダイレクトに壁体に伝播してしまう。
【００１０】
また、特開平6-173288号公報に記載のもののようにセパレータの外表面に防水材（防振材）を「塗着」した程度では防水材（防振材）の厚みを十分に大きくすることが困難であり、防振効果があまり得られない。仮に塗着，乾燥という作業を繰り返す等して防水材（防振材）の厚みを大きくすることができたとしても、壁体内に位置するセパレータは全周において防水材という固体を介して壁体と接しているため、（防水材に防振効果があっても）振動の伝播を十分に防止することができない。更に、セパレータは直接又は剛体である継手（ターンバックル）を介してＨ鋼に溶接されているために、Ｈ鋼の振動は吸収されずにセパレータに伝播されてしまう。
【００１１】
そこで、より防振効果の高い防振構造を提供すると共に、施工の作業能率の向上を図ることが課題となる。
【００１２】
【課題を解決するための手段】
本発明の地下外壁の防振構造は、土留壁(12)と地下外壁(4)との間に防振板(3)が介在しており、コンクリート打設時に必要な型枠(2)を保持するためのセパレータ(S)は防振板(3)を貫通して土留壁(12)の芯材(1)に取り付けられており、セパレータ(S)は鞘管(5)と、鞘管(5)の両端部に配された弾性部材(7)と、鞘管(5)内を貫通する芯体(6)とを有し、芯体(6)の周囲と鞘管(5)の内面との間には空間(8)が設けられており、鞘管(5)の型枠側の端部に配された弾性部材(7)が型枠に当接されることを特徴とする。さらには、上記に加えてセパレータの芯体(6)の周囲と鞘管(5)の内面との間の空間(8)に部分的に弾性体よりなるスペーサー(9)が配されていること、又は防振板(3)側において、防振板(3)に弾接する突条(22)が弾性部材(7a)又は鞘管(5)に設けられた外鍔(25)に突設されている事を特徴とする。弾性部材(7)には型枠(2)側の弾性部材(7b)と防振板(3)側の弾性部材(7a)とがあり、防振板(3)側の弾性部材(7a)には図２に示すような段付き円板状のものから、図４に示すように鞘管(5)とのスライドが可能な内接部分(15a)を有するもの(15)など各種のものがある。
【００１３】
【作用】
土留壁(12)と壁体(4)との間に介在する防振板(3)により地盤側からの振動がある程度吸収される。
土留壁(12)の芯材であるＨ鋼(1)からセパレータの芯体(6)に伝わってくる振動は、芯体(6)の周囲に空間(8)があり且つ鞘管(5)の両側に取着された弾性部材(7)により、鞘管(5)が芯体(6)に取着されているためコンクリート壁体(4)に直接伝わらない。よって、土留壁(12)からコンクリート壁体(4)への振動伝播を抑制することができる。
また、コンクリート壁体(4)の厚みが大きい場合（鞘管(5)が長い場合）は、鞘管(5)と芯体(6)との空間(8)を安定して保つために芯体(6)と鞘管(5)との間にスペーサー(9)を配することができる。この場合はスペーサー(9)を介して芯体(6)の振動が鞘管(6)に伝播するが、スペーサー(9)は弾性体であり振動を吸収できると共に、部分的に配されているにすぎず空間(8)は維持されるため、芯材(6)の振動がコンクリート壁体(4)へ伝わることを有効に防止することができる。また、防振板(3)に弾接する突条(22)により、土留壁(12)から流出してきた地下水は止水され、この部分から奥のコンクリート壁体(4)への侵入はし難くなる。
【００１４】
【実施例】
以下、本発明を好適な実施例を用いて説明する。
［実施例１］
図１は本発明のセパレータ(S)を用いた鉄筋コンクリート壁体の施工工程を示した図であり、図２はその断面図である。又、図３は完成時の断面図である。
【００１５】
土留壁(12)の芯材であるＨ鋼(1)の内側の取付面(1a)にはゴム又は発泡体よりなる防振板(3)が配される。
型枠(2)はセパレータ(S)により防振板(3)と一定の間隔を保った状態で固定する。この型枠(2)と防振板(3)との間のスペースがコンクリート打設用スペースとなる。
【００１６】
セパレータ(S)の第１実施例は、図２に示すように、芯体(6)、鞘管(5)、一対の段付き板状の弾性部材(7a)(7b)とで構成されている。ネジが切られた金属製の芯体(6)の外周と鞘管の内面との間には外周空間が設けられている。鞘管(5)の長さは芯体(6)の長さより短く、鞘管(5)の両端には弾性部材(7)(=(7a)及び(7b))が備えられている。
【００１７】
第１実施例の場合、弾性部材(7)の形状は径の異なる円柱を同心に接続したような段付きのものであり、中央に芯体(6)と同径或いはやや小さめの貫通孔を有している。この弾性部材(7)はその段部が鞘管(5)の端面に当接すると共に、外径が鞘管(5)の内径とほぼ等しい突出部(71)が鞘管(5)の内側に嵌合している。すなわち、鞘管(5)に栓をするような状態で取り付けられている。なお、弾性部材(7)の形状はこれに限定されるものではなく、鞘管(5)がＨ鋼(1)と直接接しないようにすると共に、鞘管(5)と芯体(6)との間に空間を形成できる形状であればよい。したがって、鞘管(5)の端部が当接する部分に溝を設けたような形状（図示せず）や、鞘管(5)の端部に外接する蓋（図示せず）のような形状等でもよい。
また、防振材(3)側に取着される弾性部材(7a)の外鍔(25)の段側の面に、突出部(71)を囲繞するように突条(22)を突設してもよい。この突条(22)は図２の２点鎖線で示すように、鞘体(5)の防振材(3)側の外周に外鍔(25)を形成し、この外鍔(25)の壁体(4)側の面に弾性部材(7a)に密着する突条(22)を突設してもよい。
【００１８】
コンクリート壁体(4)の幅が大きく鞘管(5)の長さが長い場合には、鞘管(5)の内部に内径が芯体(6)の外形とほぼ等しく、外形が鞘管(5)の内径とほぼ等しいゴム製のリング状スペーサー(9)が配されている。スペーサー(9)の数は鞘管(5)の長さを考慮して決めればよいが、鞘管(5)の長さが短い場合は、両端の弾性部材(7)のみで鞘管(5)と芯体(6)との間の空間を安定して保つことができるためスペーサー(9)は必ずしも必要ではない。防振体(3)は、厚手のゴムシート状のもので、セパレータ(S)に合わせて通孔(23)が形成されており、弾性部材(7a)の鍔が嵌まり込む部分（これを段状凹設部(24)とする）は段状に形成されており、突条(22)が形成されている場合には、突条(22)が段状凹設部(24)に強く当接して食い込み、土留壁(12)から地下水の湧出があった時、突条(22)の食い込み部分でコンクリート壁体(4)側への浸水を防止している。突条(22)は本明細書及び図面を通じて一重のものだけが描かれているが、勿論これに限られず複数条のものも含まれる。
【００１９】
図２に示す第１実施例の場合、セパレータ(S)の一端はＨ鋼(1)の取付面(1a)に設けられたネジ穴に芯体(6)の一端がねじ込まれることで固定されている（スタット溶接等により固定してもよい）。芯体(6)を直接（弾性体を介さず）Ｈ鋼(1)に取り付けているのは、後述のように芯体(6)が壁体(4)と直接接触しないするようにするためである。したがって芯体(6)の取り付けが容易であるにもかかわらず、大きな防振効果を得ることができる。
セパレータ(S)の他端は弾性部材(7b)と座金(11)で両側から型枠(2)を挟み、芯体(6)の他端に螺装されたナット(13)で締め付けて型枠(2)をセパレータ(S)の他端に固定している。
【００２０】
鉄筋(10)が防振板(3)と型枠(2)との間に配筋された後にコンクリートを流し込む。コンクリートが硬化すれば内部に鉄筋(10)を有したコンクリート壁体(4)となっているので、ナット(13)を外し型枠(2)を取り外す。そして、コンクリート壁体(4)から突出している芯体(6)を切断することにより施工が完了する。この状態を図３に示す。
【００２１】
土留壁(12)からの振動はＨ鋼(1)を通って芯体(6)に伝わるが、芯体(6)の周囲には空間(8)があるため、鞘管(5)には伝わりにくい。よって、鞘管(5)と接しているコンクリート壁体(4)への振動伝達を抑制することができる。
また、芯体(6)と鞘管(5)の端部の間に配されている弾性部材(7a)(7b)を通って芯体(6)から鞘管(5)に振動が伝わろうとするが、弾性部材(7a)(7b)によって振動が大幅に減衰するので、芯体(6)から鞘管(5)を通ってコンクリート壁体(4)へ振動が伝わることを防止することができる。
芯体(6)と鞘管(5)との間にスペーサー(9)が配されている場合も同様で、スペーサー(9)が弾性体であるためここで振動を大幅に減衰させるため、芯体(6)から鞘管(5)を通ってコンクリート壁体(4)へ振動が伝わることを防止することができる。
また、Ｈ鋼(1)と鞘管(5)との間には弾性部材(7a)が接して配されているので、前述同様、鞘管(5)にはＨ鋼(1)の振動はあまり伝播されない。
また、土留壁(12)から湧出してきた地下水は、セパレータ(S)が挿通されている防振材(3)の通孔(23)からさらに内部へ浸入しようとするが、前述のように突条(22)が強く通孔(23)の段状凹設部(24)に当接しているので、地下水の浸入はこの部分で阻止される。
【００２２】
［実施例２］
実施例１の場合、セパレータは(S)の長さが固定されているための作る壁体(4)の厚みに合わせて鞘管(5)の長さ又は弾性部材(7)の厚み等を変える必要があるが、本実施例はセパレータ(S)の長さを調整可能として作成する壁体(4)の厚みの違いに対応するものである。セパレータ(S)以外の基本構成は実施例１と同じである。
【００２３】
図４に本実施例を示す。(14)は芯体(6)を支持する芯体保持具であり、芯体(6)の一端が螺入されている部分(14a)には芯体(6)の雄ネジに対応した雌ネジが切られている。また、保持具(14)の取付部(14b)をスタッド溶接することによりＨ鋼(1)の取り付け面(1a)へ取り付けられている。したがって、芯体(6)の一端を保持具(14)にねじ込み、その螺入量を調節することにより芯体(6)と保持具(14)との合計長さをある程度調整することができる。
【００２４】
この場合Ｈ鋼(1)側の弾性部材(15)は、内部に芯体保持具(14)を収納できるような形状の基部(15b)と鞘管(5)内部に内接する内接部分(15a)よりなり、内接部分(15a)は十分長く差し込み深さを調整することができるので、鞘管(5)が多少短くとも保持することができる。以上、芯体(6)の支持具(14)への螺入量及び内接部分(15a)の鞘管(5)への挿入代を調節することにより、壁体(4)の厚みが変わってもある程度セパレータ(S)の長さを調節することができ、鞘管(5)等を別の長さのものに変えることなく対応することができる。
又、図４の２点鎖線で示すように基部(15b)の外周面に外鍔(25)を形成し、このコンクリート壁体(4)側の面に突条(22)を基部(15b)の周囲に形成したり、鞘管(5)の防振材(3)側の端部に外鍔(25)を形成し、その外鍔(25)の防振材(3)側の面に突条(22)を鞘管(5)の周囲に形成し、実施例１と同様に防振材(3)に形成された通孔(23)の段状凹設部(24)に強く当接させる。突条(22)を有する外鍔(25)は基部(15b)だけでもよいし、鞘管(5)だけでもよいし、両側に設けてもよい。
【００２５】
尚、弾性部材(15)の形状は、鞘管(5)がＨ鋼(1)又は芯体保持具(14)と直接接触することを防止できる形状であれば上記のものに限られず、例えば図５に示したように基部(15b)を有しないものを用いてもよい。この場合、内接部分(15a)の防振材(3)側の端部に外鍔(25)を突設し、防振材(3)側の面に芯体(6)を取り囲むように突条(22)を形成したり、前述同様鞘管(5)に外鍔(25)を形成し、防振材(3)側の面に突条(22)を形成する。
【００２６】
［実施例３］
大きな壁を作る際には多くのセパレータ(S)を使う必要があり、型枠(2)取り外し時に全てのナット(13)を解くのは手間がかかる。そこで本実施例ではナット(13)を芯体から取り外さずに型枠(2)を取り外せるようにした。本実施例を図６に示す。
【００２７】
芯材(16)は型枠(2)側に位置する弾性部材(7b)の型枠(2)側に、転造により溝部(16a)とその両側の山部(16b)，(16c)が形成されている。鞘管(5)側の山部(16b)に外接すると共に弾性部材(7b)の型枠(2)側に接するように金属製の座金(17)が配されている。型枠(2)側の山部(16c)には、その山部(16c)に係合する孔を有し縁部(18a)が型枠(2)と接するカップ状の型枠支持具(18)が配されている。座金(17)と型枠(2)の間にはカップ状支持具(18)を覆うように型枠(2)側に向かって開くテーパーを有したゴム製のカバー(19)が取り付けられている。
【００２８】
型枠(2)取り外し時には、ナット(13)をハンマー等で強打する。すると力はナット(13)に接続されている芯体(16)に及ぶが、ゴム製カバー(19)や弾性部材(7b)には弾性があり、一方金属製の座金(17)は弾性が少なく周囲をコンクリート(4)に固定されているので強度の弱い芯体(16)の溝部(16a)に応力が集中し、溝部(16a)において芯体(16)が折れる。芯体(16)が折れた後に、型枠(2)を壁体から剥がすとナット(13)，折れた芯体(16)の一部，カップ状支持具(18)が一緒に外れる。その後にテーパーがつけられたゴム製カバー(19)と金属製座金(17)を取り外し、壁面に化粧板(20)を張り付けた。カップ状支持具(18)，ゴム製カバー(19)，金属製座金(17)が位置していた箇所は空間(21)となる。この状態を図７において示す。
【００２９】
本実施例では効率良く型枠を取り外すことができるので便利である。なお、ゴム製カバー(19)は再度利用することも可能である。また、本実施例では型枠支持具(18)としてカップ状の支持具を用いたが、型枠を支持できる構造であれば形状は限定されず、例えば、柱状，錐状等でもよい。
【００３０】
［実施例４］
本実施例は図８に示すように実施例２と実施例３の特徴を共に備えたものであり、効果においても両実施例の有する効果を共に備えている。
【００３１】
すなわち、壁体(4)の厚みに併せて長さを調整でき、更に、ナット(13)を外すことなく型枠(2)を壁体(4)より取り外すことができる。
【００３２】
尚、本発明は上記の各実施例により限定されるものではなく、例えば鞘管(5)としてスチールパイプの代わりにセラミックパイプや樹脂パイプを使う場合のように、本発明の技術思想に反しない範囲で適宜行い得る材質の変更等も本発明に含まれることはいうまでもない。
【００３３】
【発明の効果】
以上述べたように本発明により地盤からコンクリート壁体に伝わる振動を効果的に遮断し、建築物の振動，振動音を抑制することができる。又、突条を設けた場合、土留壁からの地下水の浸入を効果的に阻止する事ができる。
【図面の簡単な説明】
【図１】製作時の構成を示した図
【図２】製作時の断面図
【図３】完成時の断面図
【図４】実施例２を示した図
【図５】実施例２において他の形状の弾性体を用いた状態を示した図
【図６】実施例３を示した図
【図７】実施例３を用いた壁体の完成時の断面図
【図８】実施例４を示した図
【符号の説明】
(1)      Ｈ鋼
(1a)     Ｈ鋼の防振板に接する面（取付面）
(2)      型枠
(3)      防振板
(4)      コンクリート壁体
(5)      セパレータの鞘管
(6)      セパレータの芯体
(7)      弾性部材
(8)      空間
(9)      スペーサー
(10)     鉄筋
(11)     座金
(12)     土留壁
(13)     ナット
(14)     芯体保持具
(15)     長さ調整用弾性部材
(16)     溝部を有した芯体
(16a)    芯体の溝部
(16b)    芯体の山部（鞘管側）
(16c)    芯体の山部（型枠側）
(17)     座金
(18)     カップ状支持具
(19)     ゴム製カバー
(20)     化粧板
(21)     空間
【図１】
0003732902.tif 000002
【図２】
0003732902.tif 000003
【図３】
0003732902.tif 000004
【図４】
0003732902.tif 000005
【図５】
0003732902.tif 000006
【図６】
0003732902.tif 000007
【図７】
0003732902.tif 000008
【図８】
0003732902.tif 000009